【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  下記を具備する、ワイヤレス通信装置内で電話番号を記録、処理するためのシステム：
ハウジング；
所定の電話番号のセットを含む英数字データを記憶するための記憶領域；
ハウジングによってサポートされ、第１の電話番号を含む、データを入力するためのユーザ動作を感知するユーザ入力装置；
第１の電話番号を、記憶領域に記憶されている所定の電話番号のセットと比較するため、および第１の電話番号が記憶領域内の所定の電話番号のセットの１つと一致するときに一致インジケータを設定する比較器；
システムから遠隔の通信装置と通信するためのハウジング内のトランシーバ、該トランシーバは第１の電話番号の選択に応えて第１の電話番号に関連する遠隔通信装置への呼の確立を開始する；
遠隔通信装置からレコーダデータ記憶領域内へ受信されたデータの入力を可能にするために、設定されている一致インジケータに応えて起動される英数字レコーダ。
【請求項２】  ユーザ入力装置は、遠隔通信装置への呼の間にそのユーザ起動を感知し、英数字レコーダは、レコーダデータ記憶領域内にユーザ入力装置を介して手動で入力されるデータを記憶する、請求項１のシステム。
【請求項３】  トランシーバが、遠隔通信装置からデータを自動的に受信し、受信されたデータを、ユーザ入力装置の追加起動なしにレコーダデータ記憶領域内に記憶する、請求項１のシステム。
【請求項４】  さらに、レコーダデータ記憶領域内のデータを編集するためのプロセッサを含む、請求項１のシステム。
【請求項５】  さらに、不揮発性データ記憶領域、およびデータレコーダ記憶領域から不揮発性データ記憶領域にデータをコピーするためのプロセッサを含む、請求項１のシステム。
【請求項６】  データレコーダ記憶領域内のデータが第２の電話番号を示し、不揮発性データ記憶領域が電話帳記憶領域である、請求項５のシステム。
【請求項７】  遠隔通信装置から受信されるデータが、第２の電話番号を示す、請求項１のシステム。
【請求項８】  トランシーバが、第２の電話番号への呼オプションの選択に応えて、第２電話番号と関連する遠隔通信装置に対する呼の確立をさらに開始する、請求項７のシステム。
【請求項９】  下記を具備する、ワイヤレス通信装置で電話番号を記録、処理するためのシステム：
所定番号のセットを含む、データを記憶するための記憶領域；
ユーザによって選択的に起動されることができる複数のキーを有するユーザ入力装置、該ユーザ入力装置は、第１の電話番号を含む、データを入力するための選択されたキーのユーザ動作を感知する；
第１の電話番号を記憶領域に記憶されている番号のセットと比較し、第１の電話番号が記憶領域内の該セットの複数の番号の１つと一致するとき、一致インジケータを設定するプロセッサ；及び
レコーダデータ記憶領域へのデータの入力を可能にするために、設定されている一致インジケータを含む、第１の状態に応えて起動される英数字レコーダ。
【請求項１０】  第１の状態が、さらに、所定の方法で入力装置のユーザ起動に応えてレコーダを起動するシステムを含む、請求項９のシステム。
【請求項１１】  さらに、第１の状態が、さらに、レコーダがユーザによって起動され得る旨のユーザプロンプトを発行する出力装置を含む請求項９のシステム、該システムはユーザプロンプトの発行に続いて所定の方法で入力装置のユーザ起動に応えてレコーダを起動する。
【請求項１２】  記憶領域に記憶されている番号のセットが、ディレクトリアシスタンスサービスプロバイダの電話番号を含む、請求項９のシステム。
【請求項１３】  さらに、表示器および呼履歴記憶領域を含み、該表示器がレコーダによって記録されている第２の電話番号、および呼履歴記憶領域内に第２の電話番号を記憶するためのユーザプロンプトを表示し、呼履歴記憶領域は、ユーザプロンプトの表示に続いて所定の方法で入力装置のユーザ起動に応えて第２の電話番号を記憶する、請求項９のシステム。
【請求項１４】さらに、表示器および電話帳記憶領域を含み、そこでは表示器がレコーダによって記録されている第２の電話番号を表示し、プロンプトは、第２の電話番号が電話帳記憶領域に記憶されることができることを示し、ディレクトリ記憶は、ユーザプロンプトの表示に続いて所定の方法で入力装置のユーザ起動に応えて第２の電話番号を記憶する、請求項９のシステム。
【請求項１５】さらに、該システムから遠隔の通信装置と通信するためのトランシーバを含み、該トランシーバが第１の電話番号の選択に応えて第１の電話番号と関連する遠隔通信装置への呼の確立を開始し、そこではレコーダデータ記憶領域に入力されるデータは、遠隔通信装置から受信されるデータである、請求項９のシステム。
【請求項１６】  ユーザ入力装置が、遠隔通信装置への呼の間にそのユーザ起動を感知し、英数字レコーダが、レコーダデータ記憶領域内にユーザ入力装置を介して手動で入力されるデータを記憶する、請求項１５のシステム。
【請求項１７】  トランシーバが、遠隔通信装置への呼の間に遠隔通子音装置からデータを自動的に受信し、ユーザ入力装置の追加起動なく、レコーダデータ記憶領域内に受信されたデータを記憶する、請求項１５のシステム。
【請求項１８】遠隔通信装置から受信されるデータは第２の電話番号を備え、トランシーバは、さらに、第２の電話番号と関連する遠隔通信装置への呼の確立を開始する、請求項１５のシステム。
【請求項１９】  遠隔通信装置から受信されるデータは第２の電話番号を備え、トランシーバは、第２の電話番号に対する呼のオプションを選択するためにそのユーザ動作を感知するユーザ入力装置に応えて第２の電話番号と関連する遠隔通信装置への呼の確立を開始する、請求項１５のシステム。
【請求項２０】  プロセッサは、ユーザ入力装置を使用してレコーダデータ記憶領域に記憶されているデータの編集を可能にする、請求項９のシステム。
【請求項２１】  プロセッサ編集は、レコーダデータ記憶領域に記憶されているデータに休止およびＤＴＭＦ信号を追加することを含む、請求項２０のシステム。
【請求項２２】  記憶領域に記憶されている該セットの複数の番号は、事前にプログラムされる、請求項９のシステム。
【請求項２３】  記憶領域に記憶されている番号のセットは、ユーザ入力装置によって手動で入力される、請求項９のシステム。
【請求項２４】  下記を具備する、ワイヤレス通信装置において電話番号を記録、処理するための方法：
ユーザによって選択された第１の電話番号を受信する；
第１の電話番号をセットの所定の複数の番号と比較し、該第一の電話番号が該セットの所定の複数の番号の一つに一致するときに一致インジケータを設定する；
設定される一致インジケータに応えてデータ記録機能を起動する、データ記録機能はワイヤレス通信装置を介して受信されるデータを記録する。
【請求項２５】  さらに、第１の電話番号の受信に応えて、第１の電話番号と関連する遠隔通信装置との通信リンクを確立する工程を含み、データ記録機能により記録されるデータは遠隔通信装置から受信されるデータである、請求項２４の方法。
【請求項２６】  データ記録機能が、所定の方法で入力装置のユーザ起動に応えて起動される、ユーザ入力装置を有する通信装置とともに使用のための、請求項２４の方法。
【請求項２７】  ユーザ入力装置および出力装置を有する通信装置とともに使用のための請求項２４の方法、該方法は、さらに、データ記録機能がユーザによって起動されることができる旨のユーザプロンプトを発行する工程を含み、該データ記録機能は所定の方法で入力装置のユーザ起動に応えて起動される。
【請求項２８】  記憶領域内に記憶される番号のセットは、ディレクトリ・アシスタンス・サービス・プロバイダの電話番号を含み、比較する工程は第１の電話番号をディレクトリ・アシスタンス・サービス・プロバイダの電話番号のセットと比較する、請求項２４の方法。
【請求項２９】  さらに、第１の電話番号と関連する遠隔通信装置と通信し、そこから第２の電話番号を受信する工程、記憶領域に第２の電話番号を保存するための動作のユーザ選択を感知する工程、第２の電話番号を保存するために該動作のユーザ選択を感知することに応えて、記憶領域に第２の電話番号を記憶する工程を含む、請求項２４の方法。
【請求項３０】  表示器を有するワイヤレス通信装置とともに使用のための請求項２４の方法、該方法は、さらに、第一の電話番号に関連する遠隔通信装置と通信し、そこから第２の電話番号を受信する工程と、レコーダによって記録されている第２の電話番号を表示する工程と、第２の電話番号が記憶領域に記憶されることができることを示すプロンプトを表示する工程と、該記憶領域に第２の電話番号を保存するための動作のユーザ選択を感知する工程と、第２の電話番号を保存するための該動作のユーザ選択を感知することに応えて記憶領域に第２の電話番号を記憶する工程とを含む。
【請求項３１】  さらに、第１の電話番号と関連する遠隔通信装置と通信し、そこからデータを受信する工程と、遠隔通信装置への呼の間にユーザ入力装置のユーザ起動を感知する工程と、ユーザ入力装置のユーザ起動を感知することによってデータを記録する工程とを含む、ユーザ入力装置を有するワイヤレス通信装置とともに使用のための請求項２４の方法。
【請求項３２】  ユーザ入力装置を有するワイヤレス通信装置とともに使用のための請求項２４の方法、ここで、第１の電話番号を受信する工程は、第１の電話番号を選択するためにユーザ入力装置のユーザ起動を感知し、該方法は、さらに、第１の電話番号と関連する遠隔通信装置と通信し、そこからデータを受信する工程と、ユーザ入力装置の追加ユーザ起動なしに該データを自動的に記録する工程を含む。